(57)【要約】【課題】部品点数が少なくてホルダの微調整を迅速容易に行うこと。【解決手段】レーザダイオードＬＤ付きホルダ２の裏面中央に横断方向Ｙ−Ｙに沿って角状支点１１ａが形成されており、該支点１１ａをベース１の外周面に当接させ、板ばね８の両弾性アーム部８ａによりホルダ２の一端部側をベース１に向けて付勢し、調整ねじ３をホルダ２の他端部に貫設した挿通孔２ｂを通ってベース１のねじ孔にねじ込むことにより、ホルダ２をベース１に仮止めし、該ホルダ２の位置をベース１の外周面に沿って縦横Ｘ−Ｘ，Ｙ−Ｙに微調整すると共に、調整ねじ３のねじ込み量を板ばね８の弾性力に抗して微調整することにより、支点１１ａを中心にホルダ２の姿勢を修正し、ホルダ２をベース１に紫外線硬化性接着剤９で固定する。【選択図】        図３
2005011401.tif 000002
【特許請求の範囲】
【請求項１】
レーザダイオード付きホルダに貫設した複数の挿通孔に調整ねじを挿通すると共に、該各調整ねじにコイルばねを外嵌させ、該各コイルばねをベースとホルダとの間に介在させた状態で該ベースの複数のねじ孔に前記各調整ねじをねじ込むことにより、ホルダを介してレーザダイオードをベースの外周面に係止しており、該レーザダイオードからレーザ光をコリメータレンズ及び対物レンズを介してディスクに投射し、その反射光をフォトダイオードで受光することにより、ディスクに記録されている情報を読み取るようにした光ピックアップにおいて、前記ホルダが縦断方向に長い矩形金属板からなり、該ホルダの中央にレーザダイオードを嵌入させるためのレーザ孔が貫設され、前記ホルダの裏面中央に横断方向に沿って角状支点を形成すると共に、該支点から裏面両端に向けてなだらかに傾斜する傾斜面を形成することにより、そのホルダの裏面が側面視略Ｖ字状に形成され、前記ホルダの一端部の正面両側縁に凹溝を形成することにより、その一端部の裏面両側縁に一対のストッパが切り残され、前記ホルダの他端部の裏面両側縁を切除して前記各凹溝に連通する一対の連通溝が形成され、前記各コイルばねに代えて１枚の板ばねが用いられ、該板ばねの中央部から一端部にかけて略Ｕ字状凹部を形成することにより、その一端部の両側縁に凹部を間に挟んで一対の弾性アーム部が切り残され、前記調整ねじが１本だけ用いられ、該調整ねじに対向して前記ホルダ及び板ばねの他端部にその調整ねじよりも大径の挿通孔が貫設され、前記ホルダの正面に一対の位置決め治具用係合孔が形成されており、レーザダイオードをレーザ孔に嵌入させたホルダの裏面に板ばねを対向させると共に、該板ばねの両弾性アーム部をホルダの各ストッパに係合させ、その板ばねの他端部及びホルダの支点をベースの外周面に当接させ、調整ねじをホルダ及び板ばねの挿通孔に通してベースのねじ孔にねじ込むことにより、ホルダをベースに仮止めし、位置決め治具をホルダの両係止孔に係合させて該ホルダの位置をベースの外周面に沿って縦横に微調整すると共に、調整ねじのねじ込み量を両弾性アーム部の弾性力に抗して微調整することにより、支点を中心にホルダの姿勢を修正し、ホルダとベースとの間に紫外線硬化性接着剤を注入し、その接着剤を紫外線の照射により硬化させてホルダをベースに固定することを特徴とする光ピックアップ。
【請求項２】
ベースの外周面にホルダを介して取り付けたレーザダイオードからレーザ光をコリメータレンズ及び対物レンズを介してディスクに投射し、その反射光をフォトダイオードで受光することにより、ディスクに記録されている情報を読み取るようにした光ピックアップにおいて、前記ホルダが縦断方向に長い矩形金属板からなり、該ホルダの中央にレーザダイオードを嵌入させるためのレーザ孔が貫設され、前記ホルダの裏面中央に横断方向に沿って角状支点が形成されており、該支点をベースの外周面に当接させ、板ばねによりホルダの一端部側をベースに向けて付勢し、調整ねじをホルダの他端部に貫設した挿通孔を通ってベースのねじ孔にねじ込むことにより、ホルダをベースに仮止めし、該ホルダの位置をベースの外周面に沿って縦横に微調整すると共に、調整ねじのねじ込み量を板ばねの弾性力に抗して微調整することにより、支点を中心にホルダの姿勢を修正し、ホルダとベースとの間に接着剤を注入することにより、該ホルダをベースに固定することを特徴とする光ピックアップ。
【請求項３】
前記ホルダの一端部の正面両側縁に凹溝を形成することにより、その一端部の裏面両側縁に一対のストッパが切り残され、前記ホルダの他端部の裏面両側縁を切除して前記各凹溝に連通する一対の連通溝が形成され、前記板ばねの中央部から一端部にかけて略Ｕ字状凹部を形成することにより、その一端部の両側縁に凹部を間に挟んで一対の弾性アーム部が切り残されており、ホルダの裏面に板ばねを対向させると共に、該板ばねの両弾性アーム部をホルダの各ストッパに係合させるようにしたことを特徴とする請求項２に記載の光ピックアップ。
【請求項４】
前記接着剤が紫外線硬化性接着剤からなり、その接着剤をホルダとベースとの間に注入し紫外線の照射により硬化させることを特徴とする請求項２または３に記載の光ピックアップ。
【請求項５】
前記ホルダの正面に位置決め治具用係合孔が形成されており、該係合孔に位置決め治具を係合させて該ホルダの位置をベースの外周面に沿って縦横に微調整するようにしたことを特徴とする請求項２から４のいずれかに記載の光ピックアップ。
【発明の詳細な説明】
【０００１】
【発明の属する技術分野】
本発明は、例えばＤＶＤ・ＲＷなどの光ディスク、磁気ディスク（以下、ディスクと略称）の再生や記録または消去を行うための光ピックアップに関する。
【０００２】
【従来の技術】
光ピックアップの原理を説明すると、図７に示すように、ベース１の外周面にホルダ２を介して取り付けたレーザダイオードＬＤからレーザ光Ｏ１を回折格子Ｇ、ハ−フミラーＨＭ、コリメータレンズＱＷＰ及び対物レンズＯＬを介してディスクＤに投射し、その反射光をハ−フミラーＨＭを介してフォトダイオードＰＤで受光することにより、ディスクＤに記録されている情報を読み取る。
【０００３】
上記構成において、レーザ光Ｏ１の拡がり角のばらつきにより、そのレーザ光Ｏ１がコリメータレンズＱＷＰの光軸Ｏ２からずれることがあり、そのずれを補正する技術として特許文献１に記載したものがある。これは、図８及び図９に示すように、縦断方向Ｘ−Ｘに長くて横断方向Ｙ−Ｙに短い矩形ホルダ２の中央部にレーザダイオードＬＤを嵌入させるためのレーザ孔２ａが貫設されると共に、該ホルダ２の四隅に調整ねじを挿通するための挿通孔２ｂが形成され、そのホルダ２の裏面に挿通孔２ｂと同心状の突起部２Ａが突設され、各挿通孔２ｂに４本の調整ねじ３が挿通されると共に、該各調整ねじ３にコイルばね４が外嵌されている。
【０００４】
レーザダイオードＬＤの取付手順を説明すると、ホルダ２にレーザダイオードＬＤをビス５止めした後、突起部２Ａをベース１の開口部１ａに嵌合させ、各コイルばね４をベース１とホルダ２との間に介在させた状態で各調整ねじ３を該ベース１のねじ孔１ｂにねじ込むことにより、ホルダ２を介してレーザダイオードＬＤをベース１の外周面に係止し、レーザ光Ｏ１をコリメータレンズＱＷＰの光軸Ｏ２上に位置決めする。次に、各調整ねじ３のねじ込み量を各コイルばね４の弾性力に抗して微調整することにより、開口部１ａと突起部２Ａとの接点Ｐを中心にホルダ２の姿勢を矢印ａ，ｂ方向にわずかに回動させて修正し、レーザ光Ｏ１の拡がり角のばらつきによる平行光強度中心のずれを補正して、そのレーザ光Ｏ１をコリメータレンズＱＷＰの光軸Ｏ２に一致させる。
【０００５】
【特許文献１】
特開平２−２２０２２８号公報
【０００６】
【発明が解決しようとする課題】
上記従来の構成では、ホルダ２の突起部２Ａを開口部１ａに嵌合させるようになっており、製作誤差によりレーザ光Ｏ１がコリメータレンズＱＷＰの光軸Ｏ２上からベース１の外周面に沿って縦横Ｘ−Ｘ，Ｙ−Ｙに位置ずれした場合には、その位置ずれを修正することができないから、ホルダ２を廃棄するしかなく、コストアップになる。また、各調整ねじ３のねじ込み量を微調整してホルダ２の姿勢を修正するようになっており、その調整ねじ３の数が多いから、微調整に手間と時間とがかかって面倒である。更に、複数の調整ねじ３及びコイルばね４が必要であって、部品点数が多いから、製作費が高くつく。
【０００７】
本発明は、上記従来の欠点に鑑み、部品点数が少なくてホルダの姿勢及びその位置の微調整を迅速容易に行うことができるようにした光ピックアップを提供することを目的としている。
【０００８】
【課題を解決するための手段】
上記目的を達成するため、請求項１に記載の発明は、レーザダイオード付きホルダに貫設した複数の挿通孔に調整ねじを挿通すると共に、該各調整ねじにコイルばねを外嵌させ、該各コイルばねをベースとホルダとの間に介在させた状態で該ベースの複数のねじ孔に前記各調整ねじをねじ込むことにより、ホルダを介してレーザダイオードをベースの外周面に係止しており、該レーザダイオードからレーザ光をコリメータレンズ及び対物レンズを介してディスクに投射し、その反射光をフォトダイオードで受光することにより、ディスクに記録されている情報を読み取るようにした光ピックアップにおいて、前記ホルダが縦断方向に長い矩形金属板からなり、該ホルダの中央にレーザダイオードを嵌入させるためのレーザ孔が貫設され、前記ホルダの裏面中央に横断方向に沿って角状支点を形成すると共に、該支点から裏面両端に向けてなだらかに傾斜する傾斜面を形成することにより、そのホルダの裏面が側面視略Ｖ字状に形成され、前記ホルダの一端部の正面両側縁に凹溝を形成することにより、その一端部の裏面両側縁に一対のストッパが切り残され、前記ホルダの他端部の裏面両側縁を切除して前記各凹溝に連通する一対の連通溝が形成され、前記各コイルばねに代えて１枚の板ばねが用いられ、該板ばねの中央部から一端部にかけて略Ｕ字状凹部を形成することにより、その一端部の両側縁に凹部を間に挟んで一対の弾性アーム部が切り残され、前記調整ねじが１本だけ用いられ、該調整ねじに対向して前記ホルダ及び板ばねの他端部にその調整ねじよりも大径の挿通孔が貫設され、前記ホルダの正面に一対の位置決め治具用係合孔が形成されており、レーザダイオードをレーザ孔に嵌入させたホルダの裏面に板ばねを対向させると共に、該板ばねの両弾性アーム部をホルダの各ストッパに係合させ、その板ばねの他端部及びホルダの支点をベースの外周面に当接させ、調整ねじをホルダ及び板ばねの挿通孔に通してベースのねじ孔にねじ込むことにより、ホルダをベースに仮止めし、位置決め治具をホルダの両係止孔に係合させて該ホルダの位置をベースの外周面に沿って縦横に微調整すると共に、調整ねじのねじ込み量を両弾性アーム部の弾性力に抗して微調整することにより、支点を中心にホルダの姿勢を修正し、ホルダとベースとの間に紫外線硬化性接着剤を注入し、その接着剤を紫外線の照射により硬化させてホルダをベースに固定することを特徴としている。
【０００９】
上記構成は実施の一形態（図１から図６参照）に相当するものであって、これによれば、ホルダが支点を介してベースの外周面に移動可能に当接されているので、該ホルダの正面に形成した一対の係合孔に位置決め治具を係合させ、該治具を移動させてホルダの位置をベースの外周面に沿って縦横に微調整することにより、レーザ光をコリメータレンズの光軸上に精密に位置決めすることができる。
【００１０】
また、調整ねじのねじ込み量を板ばねの弾性力に抗して微調整することにより、支点を中心にホルダの姿勢を修正し、これによって、レーザ光の拡がり角のばらつきによる平行光強度中心のずれを補正して、そのレーザ光をコリメータレンズの光軸に一致させることができ、この場合、調整ねじが１本だけであるから、その微調整を迅速容易に行うことができる。
【００１１】
更に、ホルダの裏面に板ばねを対向させると共に、該板ばねの両弾性アーム部をホルダの各ストッパに係合させるだけで、その板ばねをホルダに簡単に組み合わせることができると共に、両弾性アーム部によりホルダの一端部をベースに向けて確実に付勢することができる。
【００１２】
また更に、紫外線硬化性接着剤によりホルダをベースに固定するようになっており、従来のようにホルダをねじ止めする場合に比べて、その固定作業を低コストで迅速確実に行うことができる。
【００１３】
しかも、調整ねじ及び板ばねが１つずつでよく、従来に比べて部品点数が少ないから、製作費が安くつく。
【００１４】
請求項２に記載の発明は、ベースの外周面にホルダを介して取り付けたレーザダイオードからレーザ光をコリメータレンズ及び対物レンズを介してディスクに投射し、その反射光をフォトダイオードで受光することにより、ディスクに記録されている情報を読み取るようにした光ピックアップにおいて、前記ホルダが縦断方向に長い矩形金属板からなり、該ホルダの中央にレーザダイオードを嵌入させるためのレーザ孔が貫設され、前記ホルダの裏面中央に横断方向に沿って角状支点が形成されており、該支点をベースの外周面に当接させ、板ばねによりホルダの一端部側をベースに向けて付勢し、調整ねじをホルダの他端部に貫設した挿通孔を通ってベースのねじ孔にねじ込むことにより、ホルダをベースに仮止めし、該ホルダの位置をベースの外周面に沿って縦横に微調整すると共に、調整ねじのねじ込み量を板ばねの弾性力に抗して微調整することにより、支点を中心にホルダの姿勢を修正し、ホルダとベースとの間に接着剤を注入することにより、該ホルダをベースに固定することを特徴としている。
【００１５】
上記構成によれば、ホルダが支点を介してベースの外周面に移動可能に当接されているので、該ホルダの位置をベースの外周面に沿って縦横に微調整することにより、レーザ光をコリメータレンズの光軸上に精密に位置決めすることができる。
【００１６】
また、調整ねじのねじ込み量を板ばねの弾性力に抗して微調整することにより、支点を中心にホルダの姿勢を修正し、これによって、レーザ光の拡がり角のばらつきによる平行光強度中心のずれを補正して、そのレーザ光をコリメータレンズの光軸に一致させることができ、この場合、調整ねじが１本だけであるから、その微調整を迅速容易に行うことができる。
【００１７】
更に、調整ねじ及び板ばねが１つずつでよく、従来に比べて部品点数が少ないから、製作費が安くつく。
【００１８】
請求項３に記載の発明は、請求項２に記載の発明において、前記ホルダの一端部の正面両側縁に凹溝を形成することにより、その一端部の裏面両側縁に一対のストッパが切り残され、前記ホルダの他端部の裏面両側縁を切除して前記各凹溝に連通する一対の連通溝が形成され、前記板ばねの中央部から一端部にかけて略Ｕ字状凹部を形成することにより、その一端部の両側縁に凹部を間に挟んで一対の弾性アーム部が切り残されており、ホルダの裏面に板ばねを対向させると共に、該板ばねの両弾性アーム部をホルダの各ストッパに係合させるようにしたことを特徴としている。
【００１９】
上記構成によれば、ホルダの裏面に板ばねを対向させると共に、該板ばねの両弾性アーム部をホルダの各ストッパに係合させるだけで、その板ばねをホルダに簡単に組み合わせることができると共に、両弾性アーム部によりホルダの一端部をベースに向けて確実に付勢することができる。
【００２０】
請求項４に記載の発明は、請求項２または３に記載の発明において、前記接着剤が紫外線硬化性接着剤からなり、その接着剤をホルダとベースとの間に注入し紫外線の照射により硬化させることを特徴としている。
【００２１】
上記構成によれば、紫外線硬化性接着剤によりホルダをベースに固定するようになっており、従来のようにホルダをねじ止めする場合に比べて、その固定作業を低コストで迅速確実に行うことができる。
【００２２】
請求項５に記載の発明は、請求項２から４のいずれかに記載の発明において、前記ホルダの正面に位置決め治具用係合孔が形成されており、該係合孔に位置決め治具を係合させて該ホルダの位置をベースの外周面に沿って縦横に微調整するようにしたことを特徴としている。
【００２３】
上記構成によれば、ホルダの正面に形成した係合孔に位置決め治具を係合させ、該治具を移動させてホルダの位置をベースの外周面に沿って縦横に微調整することにより、レーザ光をコリメータレンズの光軸上に精密に位置決めすることができる。
【００２４】
【発明の実施の形態】
図１及び図２は光ピックアップを示すものであって、ガイドレール７に沿って移動可能な熱伝導性に優れた材料（例えばアルミ）からなるベース１の外周面にレーザダイオードＬＤ付きホルダ２が当接され、該ホルダ２の一端部をベース１に向けて付勢する板ばね８が設けられ、該板ばね８に抗してホルダ２の他端部が調整ねじ３によりベース１に仮止めされ、紫外線硬化性接着剤９によりホルダ２がベース１に固定されている。
【００２５】
前記ホルダ２は、図３から図５に示すように、熱伝導性が良好な金属材料（例えば亜鉛）により縦断方向Ｘ−Ｘに長くて横断方向Ｙ−Ｙに短く形成され、該ホルダ２の中央にレーザダイオードＬＤを嵌入させるためのレーザ孔２ａが貫設され、前記ホルダ２の裏面中央に横断方向Ｙ−Ｙに沿って角状支点１１ａを形成すると共に、該支点１１ａから裏面両端に向けてなだらかに傾斜する傾斜面１１ｂを形成することにより、そのホルダ２の裏面１１が側面視略Ｖ字状に形成され（図１参照）、前記ホルダ２の一端部の正面両側縁に凹溝１２を形成することにより、その一端部の裏面両側縁に一対のストッパ１３が切り残され、前記ホルダ２の他端部の裏面両側縁を切除して前記各凹溝１２に連通する一対の連通溝１４が形成され、ホルダ２の他端部に貫設した挿通孔２ｂが調整ねじ３よりも大径に形成され、ホルダ２の正面１５にレーザ孔２ａを間に挟んで係合孔１６が形成されており、該両係合孔１６に位置決め治具１７（図６参照）を係合させるようになっている。
【００２６】
前記板ばね８は、図３及び図４に示すように、熱伝導性が良好な金属材料（例えばりん青銅）により形成され、中央から一端部にかけて略Ｕ字状凹部１９を形成することにより、その一端部の両側縁に凹部１９を間に挟んで一対の弾性アーム部８ａが切り残されており、該両弾性アーム部８ａを各連通溝１４から各凹溝１２に挿通して各ストッパ１３に係合させる。また、板ばね８の他端部に前記ホルダ２の挿通孔２ｂとほぼ同心同径の挿通孔８ｂが貫設されている。
【００２７】
レーザダイオードＬＤの取付手順を説明すると、図６（ａ）に示すように、レーザダイオードＬＤをレーザ孔２ａに嵌入させたホルダ２の裏面１１に板ばね８を対向させると共に、該板ばね８の両弾性アーム部８ａをホルダ２の各ストッパ１３に係合させ、その板ばね８の他端部及びホルダ２の支点１１ａをベース１の外周面に当接させ、調整ねじ３をホルダ２及び板ばね８の挿通孔２ｂ，８ｂに通してベース１のねじ孔１ｂにねじ込むことにより、ホルダ２をベース１に仮止めする。この場合、両弾性アーム部８ａをストッパ１３に係合させるだけで、板ばね８をホルダ２に簡単に組み合わせることができると共に、両弾性アーム部８ａによりホルダ２の一端部をベース１に向けて確実に付勢することができる。
【００２８】
次に、図６（ｂ）に示すように、位置決め治具１７の係合ピン１７ａをホルダ２の各係合孔１６に係合させ、該治具１７を移動させてホルダ２の位置をベース１の外周面に沿って縦横Ｘ−Ｘ，Ｙ−Ｙに微調整することにより、レーザ光Ｏ１をコリメータレンズＱＷＰの光軸Ｏ２上に一致させ（図７参照）、続いて、調整ねじ３のねじ込み量を両弾性アーム部８ａの弾性力に抗して微調整することにより、支点１１ａを中心にホルダ２の姿勢を矢印ａ，ｂ方向に修正し、これによって、レーザ光Ｏ１の拡がり角のばらつきによる平行光強度中心のずれを補正して、そのレーザ光Ｏ１をコリメータレンズＱＷＰの光軸Ｏ２に一致させる。この場合、調整ねじ３が１本だけであるから、その微調整を迅速容易に行うことができると共に、板ばね８も１つでよいから、従来に比べて部品点数が少なくなり、製作費が安くつく。
【００２９】
その後、図６（ｃ）に示すように、紫外線硬化性接着剤９をベース１とホルダ２との間に注入し、その接着剤９を紫外線の照射により硬化させてホルダ２をベース１に固定すればよい。この場合、従来のようにホルダ２をねじ止めするのに比べて、その固定作業を低コストで迅速確実に行うことができる。
【００３０】
上記構成において、アルミによりベース１を、亜鉛によりホルダ２を、りん青銅により板ばね８をそれぞれ形成することにより、レーザダイオードＬＤの発熱を促進して該レーザダイオードＬＤを効率良く作動させることができる。
【００３１】
【発明の効果】
請求項１に記載の発明によれば、実施の一形態（図１から図６参照）に示すように、ホルダが支点を介してベースの外周面に移動可能に当接されているので、該ホルダの正面に形成した一対の係合孔に位置決め治具を係合させ、該治具を移動させてホルダの位置をベースの外周面に沿って縦横に微調整することにより、レーザ光をコリメータレンズの光軸上に精密に位置決めすることができる。
【００３２】
また、調整ねじのねじ込み量を板ばねの弾性力に抗して微調整することにより、支点を中心にホルダの姿勢を修正し、これによって、レーザ光の拡がり角のばらつきによる平行光強度中心のずれを補正して、そのレーザ光をコリメータレンズの光軸に一致させることができ、この場合、調整ねじが１本だけであるから、その微調整を迅速容易に行うことができる。
【００３３】
更に、ホルダの裏面に板ばねを対向させると共に、該板ばねの両弾性アーム部をホルダの各ストッパに係合させるだけで、その板ばねをホルダに簡単に組み合わせることができると共に、両弾性アーム部によりホルダの一端部をベースに向けて確実に付勢することができる。
【００３４】
また更に、紫外線硬化性接着剤によりホルダをベースに固定するようになっており、従来のようにホルダをねじ止めする場合に比べて、その固定作業を低コストで迅速確実に行うことができる。
【００３５】
しかも、調整ねじ及び板ばねが１つずつでよく、従来に比べて部品点数が少ないから、製作費が安くつく。
【００３６】
請求項２に記載の発明によれば、ホルダが支点を介してベースの外周面に移動可能に当接されているので、該ホルダの位置をベースの外周面に沿って縦横に微調整することにより、レーザ光をコリメータレンズの光軸上に精密に位置決めすることができる。
【００３７】
また、調整ねじのねじ込み量を板ばねの弾性力に抗して微調整することにより、支点を中心にホルダの姿勢を修正し、これによって、レーザ光の拡がり角のばらつきによる平行光強度中心のずれを補正して、そのレーザ光をコリメータレンズの光軸に一致させることができ、この場合、調整ねじが１本だけであるから、その微調整を迅速容易に行うことができる。
【００３８】
更に、調整ねじ及び板ばねが１つずつでよく、従来に比べて部品点数が少ないから、製作費が安くつく。
【００３９】
請求項３に記載の発明によれば、ホルダの裏面に板ばねを対向させると共に、該板ばねの両弾性アーム部をホルダの各ストッパに係合させるだけで、その板ばねをホルダに簡単に組み合わせることができると共に、両弾性アーム部によりホルダの一端部をベースに向けて確実に付勢することができる。
【００４０】
請求項４に記載の発明によれば、紫外線硬化性接着剤によりホルダをベースに固定するようになっており、従来のようにホルダをねじ止めする場合に比べて、その固定作業を低コストで迅速確実に行うことができる。
【００４１】
請求項５に記載の発明によれば、ホルダの正面に形成した係合孔に位置決め治具を係合させ、該治具を移動させてホルダの位置をベースの外周面に沿って縦横に微調整することにより、レーザ光をコリメータレンズの光軸上に精密に位置決めすることができる。
【図面の簡単な説明】
【図１】本発明の実施の一形態である光ピックアップの一部切り欠き平面図である。
【図２】同正面図である。
【図３】同要部の斜視図である。
【図４】同要部の分解斜視図である。
【図５】同ホルダの裏面側斜視図である。
【図６】（ａ）から（ｃ）はレーザダイオードの取付手順を示す説明図である。
【図７】同光ピックアップの原理を示す概略説明図である。
【図８】従来を示す水平断面図である。
【図９】同分解斜視図である。
【符号の説明】
１      ベース
１ｂ    ねじ孔
２      ホルダ
２ａ    レーザ孔
２ｂ    挿通孔
３      調整ねじ
４      コイルばね
８      板ばね
８ａ    弾性アーム部
８ｂ    挿通孔
９      紫外線硬化性接着剤
１１    ホルダの裏面
１１ａ  支点
１１ｂ  傾斜面
１２    凹溝
１３    ストッパ
１４    連通溝
１５    ホルダの正面
１６    係合孔
１７    位置決め治具
１９    凹部
ＬＤ    レーザダイオード
ＱＷＰ  コリメータレンズ
Ｘ−Ｘ  縦断方向
Ｙ−Ｙ  横断方向
【図１】
2005011401.tif 000003
【図２】
2005011401.tif 000004
【図３】
2005011401.tif 000005
【図４】
2005011401.tif 000006
【図５】
2005011401.tif 000007
【図６】
2005011401.tif 000008
【図７】
2005011401.tif 000009
【図８】
2005011401.tif 000010
【図９】
2005011401.tif 000011